(57)【要約】      （修正有）【課題】墓所において供えられた花を鳥害から守り、美しい花を長く保つ装置を提供する。【解決手段】墓石に附属する花筒の奥側に溝、又は固定ヶ所を設けその固定ヶ所等にポール２に、花立１の花と食い荒らしに来た鳥との、遮断を目的とした遮断板３を取付ける。これにより鳥等が墓石にとまり花を食い荒らし、引き抜き散乱されることを防止することができる。加えてポールには花立の水の減少を、自動補給するために公知の自動給水装置４を取付ける。これは耐熱材で作った給水タンクから誘導したパイプ５により、花筒の水圧を自動検知した給水装置から一定水位を保つように自動補給するものであり、水の補給によって水枯れを防ぎ花の寿命を長持ちさせることができる。【選択図】図１
2010112141.tif 000002
【特許請求の範囲】
【請求項１】
墓所において、墓に設けられた花立てに供えられた花を、花筒より立ち上げたポールと花を側面から覆い保護する遮断板の組合せにより、鳥類の被害から守ることを特徴とした花立の花保護延命装置。
【請求項２】
請求項１の花立の花保護装置を取付けるために、花筒の内側の一点に筒の上から下に至るまでの部分に溝を設け、遮断板を取付けできるポールを差し込み、固定を可能にすることを特徴とした花保護板設置用花筒。
【請求項３】
請求項１の花立の花保護装置を取付けるために、花筒の内側に上部と下部に花を保護するための遮断板が簡単に取付け、固定するための差し込み止め口を設けることを特徴とした花保護板設置用花筒。
【請求項４】
請求項１記載の花保護装置に於いて、花筒より立ち上げたポールに、花筒に水を補給するためのパイプを備えた自動給水装置を取付けて、花筒への保水を容易にすることを特徴とした花筒の保護装置。
【請求項５】
請求項４記載の花の保護延命装置に於いて、自動給水装置の容器部分を耐熱、保温に優れた材質使用によって、花の延命保護を可能にすることを特徴とした花保護用水容器。
【発明の詳細な説明】
【発明の詳細な説明】
【０００１】  この発明は、墓所における供えられた花の保護と延命のための、鳥害防止の遮断板、および水枯れ防止、自動給水装置に関するものである。
【背景技術】
【０００２】  墓所に於いて供えられた花は、亡き人を思いたむけられ、そのことによって、お墓参りをした人も心穏やかに亡き人との想いを偲ぶ時である。しかし参拝した人の心を裏切り、腹立たしさを抱かされるのは、鳥害である。鳥によって供え活けた花は食いちぎられ、食い散らかされてしまうのが多々ある。特に冬の寒い時期は毎日のように、どのお墓の花も食い荒される。その上墓石の至る所に糞をベタベタされて、怒りも極限に達する。【０００３】  墓の花立に備えれれた生け花用花筒は、水の容量が少なくすぐに水枯れを起こす。備えた時の亡き人へ供えた花も、花筒の水量では一日持たない。
新しい花ならなおさらで、花の吸い上げによって、瞬く間に花筒の水位が下がる。通常の蒸発も合わせて特に夏場では、半日で水枯れを起こすのである。【０００４】  花筒の水量が減ることは、水が外気の温度や墓石の熱の影響を受けやすく、特に夏場は花筒の残水は４０度をはるかに超えてしまう、それによって供えた花はしおれ筒の中の水が、花の傷みと合わせて腐り悪臭を放つようになってしまう。
亡き人を偲ぶ感情を保てなく、花筒掃除、墓掃除の繰り返しで当然花の備え変えのサイクルが短く、このため鳥害、水枯れ、いずれの場合も花代の費用負担は大きくなってしまう。
墓参りの精神的安定、又、経済的理由からも解決への方法が待たれるところであった。【０００５】  このための特許文献は、０００２に関するものは見当らない。【０００６】  ０００３に於いては、特許文献▲１▼として２００４−３２９４１０がある。
簡単な構成で給水タンクを花筒に直接密着させ、給水タンクの上部に設けた空気導入部を螺着されるキャップの締付具合の調整又、タンクの高低調整によって花立に水を補給する自動給水装置がある。【０００７】  ０００３に於いて、文献▲２▼として実開平６−１６６４６がある。
墓石用花立の水補給器で、墓石の後方に設けた水樽タンクから、自動的に水を補給する装置がある。【０００８】  ０００４に於いては、特許文献に於いては見当らない。【０００９】  しかしながら前述する特許文献に於いては、▲１▼▲２▼いずれもこれらの手段は公知の手段であって、これらの手段が新しいものではなく花立との設置場所に係わる、独自手段と見るべきで文献で示す水補給の方法は、簡単な公知の方法として利用、取り入れられて良い。
いずれも給水ホースが張りめぐされたり、給水タンク自身が花筒に直接突っ込まれたりして、見た目の体裁は著しく悪く、又お参りする人に和を与えるものとは言えない。【００１０】  花保護のための給水保護装置としての保水タンクは公知のものとして、多くが存在するが、元来墓所の墓は屋外であり、暑さ寒さには花に給水された水も、直接気象気温の影響を受ける。従ってせっかく補水をしても湯を補水する結果となり、花を保護する意味でも、花に適した温度の水を給水するための容器、タンクは花保護用タンクとしては見当たらないが、公知の水温度保温用容器の特性を活用して設けるものとする。
【発明の開示】
【発明が解決しようとする課題】
【００１１】  本発明は前述の諸点に鑑みなされたものであって、墓所に於いて供えられた花筒の花を、鳥類の被害から守り、且つ花筒の水が減って一定水準にに達すると、自動的に水を補給する装置を提供することである。
【課題を解決するための手段】
【００１２】  前述の課題を解決するための本発明にかかる、墓所に於ける供花保護装置の構成は、請求項１記載の供花保護装置に於いて、墓石の前部に設置された花立、花筒に鳥害から供花を保護するための、遮断板（網）を設けたポールを設置することに存する。【００１３】  また課題を解決するための本発明にかかる、墓所に於ける供花保護装置の構成は、請求項２記載の供花保護装置に於いて、花筒に設置したポールに花立、花筒の水が減ってくると自動的に水の補給ができる自動給水装置を設置する点に存する。【００１４】  さらに課題を解決するための本発明にかかる、墓所に於ける供花保護装置の構成は、請求項５記載の供花保護装置に於いて、補水用の保水容器を外気の温度に影響を受けにくい保温材質を利用した容器、ならびに給水パイプを設置する点に存する。
【発明の効果】
【００１５】  本発明にかかる、墓所に於ける花立の花筒に設置、取付けた供花保護装置によれば、墓石にとまり花立の供花をついばみ、又、食いちぎり散乱させる鳥類から供花を遮断することによって、供花を保護することが出来る。【００１６】  又、本発明にかかる、供花保護装置によれば花筒の水を自動的に補給することにより、供花の美しさを長く維持させ供花を長持ちさせて、墓所も清潔感が保つ事が出来る。【００１７】  本発明にかかる、供花保護装置の補水用の保水容器ならびに補水管は、外気の温度に影響を極力受けることが防げ、花に適した温度の水を補水することを可能にする。
【実施例】
【００１８】  以下、本発明の実施形態について説明する。
本発明にかかる、墓所に於ける花立に供えた供花、供花保護装置の構成は図１に示すものである。
即ち従来の公知の墓石の花立、花立に設置された花筒で、花筒１の部分に設けた差し込み溝、あるいは差し込み止め穴具に、ポール２を差し込む。【００１９】  前述の花立、花筒の溝等に差し込んだポール２にはプラスチック製の遮断板（遮断綱状板）が固定されている。これは、花筒に供えられた花に鳥類が近づけないように遮断することにより、鳥類が墓石と留まり花筒の供花をついばみ引き抜き、食い散らかし等、散乱させることを防ぐものである。【００２０】  前述の遮断板は、風の影響を少なくするために格子状にしたり、線状にしたり又、上部は鳥類が遮断板自体に留まれないよう柔らかくしたり、突起を変則に設けることも必要である。【００２１】  更に供花の無い時などを考慮し、遮断板の表面に模様や宗教、宗派に応じた模様や文字、絵あるいは家紋などを入れることも良い。
供花の無い時なども、墓地に安らぎを与えるものである。【００２２】  又、ポール２には花筒１の水の圧力によって作動する、自動給水装置４が取付けてある。
これは花立、花筒１の水が花の吸い上げ、通常の蒸発によって減少し一定水位以下になると、自動給水装置４の弁が開きパイプ８を通り、花筒１に水が供給されるものである。
更に花筒１の水が基準水位迄補給されると、自動給水装置４の弁が閉じて給水は停止される。【００２３】  前述、花立、花筒に水を補給する自動給水装置４は、公知のものである。又、保水用容器及びパイプも公知の材質、即ち保水容器の水を太陽熱や寒波等の外気の影響を、なるべく抑えるべく構造は耐熱を考慮した容器、及びパイプであることを特徴としている。
【図面の簡単な説明】
【００２４】
【図１】本発明にかかる、墓所に於ける花筒供花保護装置の概念を示す説明図。
【図２】本発明にかかる、墓所に於ける花筒供花保護装置の概念を示す斜視図。
【符号の説明】
【００２５】１．花立、花筒
２．ポール
３．遮断板
４．自動給水装置
５．パイプ
【図１】
2010112141.tif 000003
【図２】
2010112141.tif 000004
【図３】
2010112141.tif 000005
【手続補正書】
【提出日】平成21年1月30日(2009.1.30)
【手続補正２】
【補正対象書類名】明細書
【補正対象項目名】００２４
【補正方法】変更
【補正の内容】
【００２４】
【図１】  本発明にかかる、墓所に於ける花筒供花保護装置の概念を示す説明図。
【図２】  本発明にかかる、墓所に於ける花筒供花保護装置の概念を示すＡ−Ａ断面図。
【図３】  本発明にかかる、墓所に於ける花筒供花保護装置の概念を示す上面図。